(57)【要約】【課題】側面保護部材から独立した天板部材と上部緩衝部材を備える梱包材において、上部緩衝部材で保護されていない被梱包物の上部の保護を強化することのできる梱包装置を得る。【解決手段】被梱包物１の側面を包囲する側面保護部材２０と、被梱包物１の天面の少なくとも各角部分に載置される複数の上部緩衝部材２ａ，２ｂと、１枚の板状部材で構成され、上部緩衝部材２ａ，２ｂの上に載置される天板部材１０とを備え、天板部材１０は、被梱包物１の天井面を覆う天井部１１と、天井部１１に延設された板状部材を折り曲げて形成され、側面保護部材２０の内側に挿入されて複数の上部緩衝部材２ａ，２ｂのうち隣り合う２つにそれぞれ接する少なくとも一対の壁面部１２ａ，１２ｂと、壁面部１２ａ，１２ｂに延設された板状部材を折り曲げて形成され、壁面部１２ａ，１２ｂに重ねられた壁面緩衝部１３ａ，１３ｂとを備えた。【選択図】図１
2011105318.tif 000002
【特許請求の範囲】
【請求項１】
被梱包物の側面を包囲する側面保護部材と、
前記被梱包物の天面の少なくとも各角部分に載置される複数の上部緩衝部材と、
１枚の板状部材で構成され、前記上部緩衝部材の上に載置される天板部材と、を備え、
前記天板部材は、
前記上部緩衝部材の上から前記被梱包物の天井面を覆う天井部と、
前記天井部に延設された板状部材を折り曲げて形成され、前記側面保護部材の内側に挿入されて前記複数の上部緩衝部材のうち隣り合う２つにそれぞれ接する少なくとも一対の壁面部と、
前記壁面部に延設された板状部材を折り曲げて形成され、前記壁面部に重ねられた壁面緩衝部と、を備えた
ことを特徴とする梱包装置。
【請求項２】
前記複数の上部緩衝部材は、前記被梱包物の天面の一の角部分とこれに隣接する角部分とに跨って前記被梱包物の天面の対向する辺に載置される一対の上部緩衝部材である
ことを特徴とする請求項１記載の梱包装置。
【請求項３】
前記壁面部は、前記一対の上部緩衝部材が載置される前記被梱包物の天面の辺と直交する辺において、前記側面保護部材の内側に挿入される一対の壁面部である
ことを特徴とする請求項２記載の梱包装置。
【請求項４】
前記壁面部は、前記被梱包物の天面の各辺において、前記側面保護部材の内側に挿入される二対の壁面部である
ことを特徴とする請求項１又は請求項２記載の梱包装置。
【請求項５】
前記壁面緩衝部に延設された板状部材を折り曲げて前記天井部に重ねられた天面緩衝部を備えた
ことを特徴とする請求項１〜請求項４のいずれか記載の梱包装置。
【発明の詳細な説明】
【技術分野】
【０００１】
本発明は、側面保護部材から独立した天板部材と上部緩衝部材とを備える梱包装置に関する。
【背景技術】
【０００２】
従来、「対向する第１の側壁部１，１と第２の側壁部２，２と底部３からなり、上部が開放された容器本体４と、容器本体４の上部に被せされ、平坦部５ｂ及び折曲部５ａ，５ａからなる断面略コ字状に延びて形成された蓋体５とを有する」梱包材が提案されている（例えば、特許文献１参照）。
【０００３】
また、「上部左右に被せて角隅部を衝撃等から保護する一対の上部緩衝体」を備えた梱包装置も提案されている（例えば、特許文献２参照）。
【先行技術文献】
【特許文献】
【０００４】
【特許文献１】実登第３１２７４１１号公報（第３頁、図１）
【特許文献２】特開２００３−２３７８７７号公報（第２頁、図５）
【発明の概要】
【発明が解決しようとする課題】
【０００５】
上記特許文献１に記載の梱包装置においては、蓋体５（天板部材）の折曲部５ａが第１の側壁部１と当接して二重構造となり、被梱包物を保護する。そして、特許文献２に記載の梱包装置においては、上部緩衝部材を載置して被梱包物の肩部分を保護する。
ところが、特許文献１のような天板部材と側面保護部材が独立した構造の梱包材に、特許文献２に記載のような上部緩衝部材を設けた場合、上部緩衝部材が載置されていない被梱包物の肩部分以外の部分は、天板部材の折り曲げ部と側面保護部材との二重構造によって保護されるのみであって保護が不十分であった。
【０００６】
本発明は、上記のような課題を解決するためになされたものであり、側面保護部材から独立した天板部材と上部緩衝部材を備える梱包材において、上部緩衝部材で保護されていない被梱包物の上部の保護を強化することのできる梱包装置を得るものである。
【課題を解決するための手段】
【０００７】
本発明に係る梱包装置は、被梱包物の側面を包囲する側面保護部材と、前記被梱包物の天面の少なくとも各角部分に載置される複数の上部緩衝部材と、１枚の板状部材で構成され、前記上部緩衝部材の上に載置される天板部材と、を備え、前記天板部材は、前記上部緩衝部材の上から前記被梱包物の天井面を覆う天井部と、前記天井部に延設された板状部材を折り曲げて形成され、前記側面保護部材の内側に挿入されて前記複数の上部緩衝部材のうち隣り合う２つにそれぞれ接する少なくとも一対の壁面部と、前記壁面部に延設された板状部材を折り曲げて形成され、前記壁面部に重ねられた前記壁面緩衝部と、を備えたものである。
【発明の効果】
【０００８】
本発明に係る梱包材の天板部材は、天井部に延設された板状部材を折り曲げて形成され、側面保護部材の内側に挿入されて複数の上部緩衝部材のうち隣り合う２つにそれぞれ接する少なくとも一対の壁面部と、壁面部に延設された板状部材を折り曲げ、壁面部に重ねられた壁面緩衝部と、を備えた。このため、被梱包物に上部緩衝部材が載置されていない部分において、側面保護部材、壁面部、及び壁面緩衝部による三重壁構造を形成してその保護を強化することができる。
【図面の簡単な説明】
【０００９】
【図１】実施の形態１に係る梱包材の分解状態を示す斜視図である。
【図２】実施の形態１に係る梱包材の主要部を示す斜視図である。
【図３】実施の形態１に係る梱包材の主要部の作用を説明する斜視図である。
【図４】実施の形態２に係る梱包材の主要部を示す斜視図である。
【図５】実施の形態３に係る梱包材の主要部を示す斜視図である。
【発明を実施するための形態】
【００１０】
実施の形態１．
図１は、本発明の実施の形態１に係る梱包装置１００の分解状態を示す斜視図、図２は図１の梱包装置１００の主要部を示す斜視図である。本実施の形態１では、被梱包物１が、直方体を成し前面側に扉を有する冷蔵庫である場合を例に説明する。なお、各図において、同一の構成要素には同一の符号を付している。また、本実施の形態１では、説明の都合上、図１に「前」「後」「左」「右」と示すように方向を定義する。
【００１１】
図１において、梱包装置１００は、被梱包物１の側面を保護する側面保護部材２０と、被梱包物１の天面を保護する天板部材１０と、被梱包物１の底面を保護する底部台板４と、被梱包物１の上に載置される上部緩衝部材２ａ、２ｂと、被梱包物の下に載置される底部緩衝部材５ａ、５ｂとを備える。
【００１２】
側面保護部材２０は、角筒形状を有し、被梱包物１の前後左右の側面を包囲する。本実施の形態１では、側面保護部材２０は段ボールで構成されている。
【００１３】
底部台板４は、上部を開口した箱形状を有し、被梱包物１の底部を収容する。本実施の形態１では、底部台板４は、段ボールを折り曲げて形成されている。
底部緩衝部材５ａ、５ｂ（以下、底部緩衝部材５と総称する場合がある）は、例えば発泡スチロール製の直方体の部材を部分的に断面略Ｌ字型に切り欠いて形成されている。この底部緩衝部材５の切り欠き部分に、被梱包物１の底面の右側あるいは左側の角部分が嵌合される。すなわち、底部緩衝部材５の切り欠き部分は被梱包物１の底部の位置決めの役割を果たす。なお、底部緩衝部材５の形状はこれに限定されるものではなく、被梱包物１の底面の角部分及び左右の底辺（側面と底面とを接合する辺）を覆う形状であればよい。
【００１４】
上部緩衝部材２ａ、２ｂ（以下、上部緩衝部材２と総称する場合がある）は、例えば発泡スチロール製の直方体の部材を部分的に断面略Ｌ字型に切り欠いて形成されている。この上部緩衝部材２の切り欠き部分に、被梱包物１の右側及び左側の肩部分が嵌合される。なお、上部緩衝部材２の形状はこれに限定されるものではなく、被梱包物１の天面の角部分及び左右の辺（側面と天面とを接合する辺）を覆う形状であればよい。
【００１５】
天板部材１０は、例えば段ボール等の１枚の板状部材を折り曲げて形成され、天井部１１と、壁面部１２ａ、１２ｂと、壁面緩衝部１３ａ、１３ｂとを備える。
天井部１１は、被梱包物１の天面とほぼ同じ面積を有し、上部緩衝部材２の上に載置されて被梱包物１の天面を覆う。
壁面部１２ａ、１２ｂ（以下、壁面部１２と総称する場合がある）は、天板部材１０を構成する板状部材を折り曲げることにより、天井部１１に連なって形成されている。壁面部１２は、一対の上部緩衝部材２の前面側の端部あるいは後面側の端部に跨って、この上部緩衝部材２の端部に外側から接する。
壁面緩衝部１３ａ、１３ｂ（以下、壁面緩衝部１３と総称する場合がある）は、天板部材１０を構成する板状部材を折り曲げることにより、壁面部１２に連なって形成されている。壁面緩衝部１３は、壁面部１２の内側に重ねられ、壁面部１２と壁面緩衝部１３とによって二重壁構造が形成される。
【００１６】
このように構成された梱包装置１００による被梱包物１の梱包手順を説明する。
まず、底部台板４の左側と右側に内接するようにして底部緩衝部材５を底部台板４に載置し、この底部緩衝部材５の上に被梱包物１を載置する。被梱包物１の底面の左右の角部分は底部緩衝部材５の切欠部分に嵌合されつつ底部台板４に収容される。
次に、側面保護部材２０を被梱包物１の上方から被梱包物１に被せる。このようにすることで、被梱包物１の前後左右の側面は側面保護部材２０により覆われる。
次に、被梱包物１の前側の角部分とこれに隣接する後側の角部分とに跨るようにして、被梱包物の天面の左右の辺に上部緩衝部材２を載置する。そして、被梱包物１の肩部分を上部緩衝部材２の切り欠き部分に嵌合する。
次に、天板部材１０を上部緩衝部材２の上方から被梱包物１の天面に載置し、折り重ねられた状態の壁面部１２と壁面緩衝部１３とを、被梱包物１と側面保護部材２０との間に挿入する。
次に、結束バンド６を底部台板４と天板部材１０の外周に巻き回して締結し、梱包完了となる。
【００１７】
図２に示すように、上記のようにして被梱包物１を梱包した梱包装置１００において、側面保護部材２０の上部には、緩衝体当接部２１と緩衝体非当接部２２が形成される。
緩衝体当接部２１は、上部緩衝部材２と当接する部分である。本実施の形態１では、側面保護部材２０の左右の面の上部が、緩衝体当接部２１となる。
緩衝体非当接部２２は、上部緩衝部材２と当接しない部分である。本実施の形態１では、側面保護部材２０の前後の面の上部中央部分が、緩衝体非当接部２２となる。
【００１８】
次に、上記のようにして被梱包物１を梱包した梱包装置１００の作用について説明する。
図３は、梱包装置１００の作用を説明する斜視図であり、天板部材１０と被梱包物１の上部を中心に示している。なお、図３では天板部材１０を取り外した状態を示しているが、これは図面上の見やすさのためであり、以下では梱包完了状態であるものとして説明する。また、図３において記号Ｒは、梱包装置１００に何らかの衝撃が加わったことを模式的に表しているものである。
【００１９】
上述したように、重なった状態の壁面部１２と壁面緩衝部１３とが被梱包物１と側面保護部材２０との間に挿入されている。すなわち、緩衝体非当接部２２において、側面保護部材２０と被梱包物１との間には、壁面部１２と壁面緩衝部１３の二重壁構造が挿入される。このため、緩衝体非当接部２２においては、被梱包物１の外側に、壁面部１２、壁面緩衝部１３、及び側面保護部材２０による三重壁構造が形成される。
したがって、図３のＲに示すように緩衝体非当接部２２に何らかの衝撃が加わった場合でも、側面保護部材２０、天板部材１０の壁面部１２、及び壁面緩衝部１３による三重壁構造が被梱包物１を保護する（図３の記号Ｓ参照）。このため、上部緩衝部材２が載置されていない被梱包物１の前面側あるいは後面側の上部においても、被梱包物１に対する外圧の影響を低減でき、被梱包物１が傷つくのを抑制することができる。
【００２０】
また、緩衝体当接部２１においては、上部緩衝部材２により、被梱包物１が衝撃等から保護される。
【００２１】
このように、本実施の形態１に係る梱包装置１００によれば、天板部材１０に壁面部１２と壁面緩衝部１３からなる二重壁構造を備え、側面保護部材２０の緩衝体非当接部２２にこの二重壁構造を布置した。したがって、上部緩衝部材２が配置されていない被梱包物１の上部における保護を強化し、被梱包物１への衝撃等による外圧の影響を低減することができる。このため、被梱包物１の変形や傷つきを低減することができる。さらに、側面保護部材２０の内側に壁面部１２と壁面緩衝部１３からなる二重壁構造を挿入するので、衝撃等に伴う側面保護部材２０の上部の変形をも低減することができる。
【００２２】
実施の形態２．
前述の実施の形態１では、壁面部１２と壁面緩衝部１３により被梱包物１の前面及び後面の上部（上部緩衝部材２が載置されていない部分）の保護を強化したが、本実施の形態２では、被梱包物１の天面の保護をも強化する実施の形態を説明する。なお、本実施の形態２では、前述の実施の形態１との相違点を中心に説明し、前述の実施の形態１と同一又は対応する構成要素には同一の符号を付す。
【００２３】
図４は、実施の形態２に係る梱包装置１００Ａの構成の主要部を示す斜視図である。図４に示すように、天板部材１０Ａは、天面緩衝部１４ａ、１４ｂを備える。
天面緩衝部１４ａ、１４ｂ（以下、天面緩衝部１４と総称する場合がある）は、天板部材１０Ａを構成する板状部材を折り曲げることにより、壁面緩衝部１３に連なって形成されている。天面緩衝部１４は天井部１１の内側に重ねられ、天面緩衝部１４と天井部１１とで二重天井構造が形成される。
【００２４】
このように構成された天板部材１０Ａにおいては、天面緩衝部１４を設けたことにより、天井部１１と天面緩衝部１４とで二重天井構造が形成される。このため、前述の実施の形態１で述べた効果に加え、被梱包物１の天面の保護を強化することができる。
さらに、天面緩衝部１４は壁面緩衝部１３を延設して折り曲げて形成した。このため、天井部１１と壁面部１２との境界の折り曲げ部分（図４に示す記号Ｔ参照）も二重構造となり、この折り曲げ部分の保護をも強化することができる。
【００２５】
実施の形態３．
本実施の形態３では、上部緩衝部材を被梱包物の上部の四隅に１つずつ設ける梱包材を例に説明する。なお、本実施の形態３では、前述の実施の形態１との相違点を中心に説明し、前述の実施の形態１と同一又は対応する構成要素には同一の符号を付す。
【００２６】
図５は、実施の形態３に係る梱包材の主要部を示す斜視図である。図５に示すように、梱包装置１００Ｂは、被梱包物１の天面に載置される上部緩衝部材８ａ、８ｂ、８ｃ、８ｄと、天板部材１０Ｂを備える。
【００２７】
上部緩衝部材８ａ、８ｂ、８ｃ、８ｄ（以下、上部緩衝部材８と総称する場合がある）は、例えば発泡スチロール製の直方体の部材を部分的に断面略Ｌ字型に切り欠いて形成されている。この上部緩衝部材８の切り欠き部分に、被梱包物１の天面の四隅の角部分が嵌合される。なお、上部緩衝部材８の形状はこれに限定されるものではなく、被梱包物１の天面の四角を覆う形状であればよい。
【００２８】
天板部材１０Ｂは、例えば段ボール等の１枚の板状部材を折り曲げて形成され、天井部１１と、壁面部１２と、壁面緩衝部１３と、第２壁面部１５ａ、１５ｂと、第２壁面緩衝部１６ａ、１６ｂとを備える。
第２壁面部１５ａ、１５ｂ（以下、第２壁面部１５と総称する場合がある）は、壁面部１２と同様の構成のものを天板部材１０Ｂの左右に配置したものである。
第２壁面緩衝部１６ａ、１６ｂ（以下、第２壁面緩衝部１６と総称する場合がある）は、壁面緩衝部１３と同様の構成のものを第２壁面部１５に連なって設けたものである。
【００２９】
したがって、天井部材１０Ｂは、天井部１１、壁面部１２、及び第２壁面部１５によって下部を開放した箱形状が形成される。
なお、その他の構成要素については、前述の実施の形態１と同様である。
【００３０】
このように構成された梱包装置１００Ｂで被梱包物１を梱包する際には、被梱包物１の天面の四隅に上部緩衝部材８を載置する。
そして、天板部材１０Ｂを上部緩衝部材８の上方から被梱包物１の天面に載置し、重なった状態の壁面部１２と壁面緩衝部１３とを、被梱包物１と側面保護部材２０との間に挿入する。さらに、重なった状態の第２壁面部１５と第２壁面緩衝部１６とを、被梱包物１と側面保護部材２０との間に挿入する。
なお、その他の梱包手順については、前述の実施の形態１と同様である。
【００３１】
以上のように、本実施の形態３に係る梱包装置１００Ｂによれば、天板部材１０Ｂに壁面部１２と壁面緩衝部１３からなる二重壁構造を備えるとともに、第２壁面部１５と第２壁面緩衝部１６からなる二重壁構造を備えた。そして、これら二重壁構造を、側面保護部材２０の上部の上部緩衝部材８が当接しない部位に布置した。したがって、上部緩衝部材８が配置されていない被梱包物１の上部においても、衝撃等による被梱包物１への外圧の影響を低減することができる。このため、被梱包物１の変形や傷つきを低減することができる。さらに、側面保護部材２０の内側に第２壁面部１５と第２壁面緩衝部１６からなる二重壁構造を挿入するので、衝撃等に伴う側面保護部材２０の上部の変形をも低減することができる。
【００３２】
なお、本実施の形態３に係る天板部材１０Ｂに、実施の形態２で説明したものと同様の天面緩衝部を設けてもよく、同様の効果を得ることができる。
【符号の説明】
【００３３】
１  被梱包物、２  上部緩衝部材、４  底部台板、５  底部緩衝部材、６  結束バンド、８  上部緩衝部材、１０  天板部材、１０Ａ  天板部材、１０Ｂ  天板部材、１１  天井部、１２  壁面部、１３  壁面緩衝部、１４  天面緩衝部、１５  第２壁面部、１６  第２壁面緩衝部、２０  側面保護部材、２１  緩衝体当接部、２２  緩衝体非当接部、１００  梱包装置、１００Ａ  梱包装置、１００Ｂ  梱包装置。
【図１】
2011105318.tif 000003
【図２】
2011105318.tif 000004
【図３】
2011105318.tif 000005
【図４】
2011105318.tif 000006
【図５】
2011105318.tif 000007